(57)【要約】【課題】      重機作業による短時間での大規模工事が可能で、護岸や水中構造物の補強に有用な籠体マット及びその利用に関する。【解決手段】  一軸延伸網目状シートから形成される扁平角筒状構造体内部が多数の仕切り用網目状シートによって仕切られて複数の連結する小部屋を形成している籠体マットに大型石を充填し、クレーンにより吊り上げて所定位置に敷設する。大型石充填時の膨らみを防止し、また吊り上げ時の荷重に耐えるように、小部屋の間隔や網目状シートの連結方法を調整する。【選択図】    図１０
2005048459.tif 000002
【特許請求の範囲】
【請求項１】
対向する面を形成する２枚の幅広長尺網目状シートと、対向する面を形成し、前記幅広長尺網目状シートより短い２枚の幅狭長尺網目状シートとを、各幅広長尺網目状シートの両端部が余るように幅方向の辺を互いに結合して形成される扁平角筒状構造体の内部が、仕切り用網目状シートにより所定間隔で仕切られて、複数の連結する小部屋を形成しているプラスチック製籠体マットであって、各網目状シートは、延伸薄肉部であるピッチ２５ｃｍ以下の長手方向網目と未延伸厚肉部の横方向網目とからなり、上記小部屋は、仕切り用網目状シートの端部網目を湾曲して幅広長尺網目状シートの網目間に入れ込み、生じる筒状空間に支持棒を貫通させて連結することによって、幅広長尺網目状シートの長手方向網目２〜４ピッチ毎に形成されており、２枚の対向する幅広長尺網目状シートの両端部は、一方の端部網目を湾曲して他方の端部網目間に入れ込んで生じる筒状空間に支持棒を貫通させて連結されていることを特徴とする籠体マット。
【請求項２】
仕切り用網目状シートと幅広長尺網目状シートの連結部が、幅広長尺網目状シートの一端部からみて、その横方向網目上流側近傍にあることを特徴とする請求項１記載の籠体マット。
【請求項３】
仕切り用網目状シートと幅広長尺網目状シートの連結部が、幅広長尺網目状シートの一端部からみて、中央部近辺まではその横方向網目上流側近傍にあり、それ以降はその横方向網目下流側近傍にあることを特徴とする請求項１記載の籠体マット。
【請求項４】
幅広長尺網目状シートと幅狭長尺網目状シートの結合が、それぞれの長手方向網目のピッチを揃えて、少なくとも７ｃｍ以下の間隔で巻回部を有し、かつ横方向網目部の接点部で結び目を作るように長尺の太紐で結合されていることを特徴とする請求項１〜３記載の籠体マット。
【請求項５】
幅広長尺網目状シート及び幅狭長尺網目状シートの引張強度がそれぞれ５０ｋＮ／ｍ以上である請求項１〜４記載の籠体マット。
【請求項６】
幅広長尺網目状シートと幅狭長尺網目状シートの結合に使用される太紐が、耐候処方を施されたポリエチレン製紐である請求項４又は５記載の籠体マット。
【請求項７】
小部屋容積が０．１〜０．５ｍ３である請求項１〜６記載の籠体マット。
【請求項８】
小部屋の数が４〜４０である請求項１〜７記載の籠体マット。
【請求項９】
全長が２〜２０ｍである請求項１〜８記載の籠体マット。
【請求項１０】
幅広長尺網目状シート端部が、２〜４ピッチの長手方向網目からなる請求項１〜９記載の籠体マット。
【請求項１１】
各網目状シートが、プラスチック製孔開きシートの一軸延伸シートである請求項１〜１０記載の籠体マット。
【請求項１２】
プラスチックがポリオレフィンである請求項１１記載の籠体マット。
【請求項１３】
ポリオレフィンが、プロピレンと他のα−オレフィンのランダム共重合体である請求項１２記載の籠体マット。
【請求項１４】
固形充填材詰め用である請求項１〜１３記載の籠体マット。
【請求項１５】
固形充填材が大型石である請求項１４記載の籠体マット。
【請求項１６】
護岸工事用又は構造物基礎用である請求項１〜１５記載の籠体シート。
【請求項１７】
各小部屋に固形充填材が充填されてなる請求項１４又は１６記載の籠体マット。
【請求項１８】
各小部屋に大型石が充填されてなる請求項１５又は１６記載の籠体マット。
【請求項１９】
２枚の対向する幅広長尺網目状シートと２枚の対向する幅狭長尺網目状シートの４結合辺のうち、１辺のみを未結合状態とし、一方の幅狭長尺網目状シート面を開口状態とした請求項１〜１６記載の籠体マット。
【請求項２０】
請求項１９の籠体マットにおける開口状態の結合幅狭長尺網状シート面が上面となるように籠体マットを直立させ、上部から固形充填材を入れ、しかるのち上部の幅狭長尺網状シートと幅広長尺網目状シートの未結合部を太紐で結合することを特徴とする固形充填材の充填方法。
【請求項２１】
固形充填材が、大型石である請求項２０記載の固形充填材の充填方法。
【請求項２２】
直立させた籠体マットの両側に支持壁を設けて行なうことを特徴とする請求項２０又は２１記載の固形充填材の充填方法。
【請求項２３】
請求項１７又は１８の籠体マットにおける２枚の幅広長尺網目状シートの片側端部結合部に支持棒をいれ、該片側結合部を吊り上げて籠体マットを敷設することを特徴とする籠体マットの敷設方法。
【請求項２４】
請求項１７又は１８の籠体マットにおける２枚の幅広長尺網目状シートの両側端部結合部に支持棒をいれ、該両側端部結合部を吊り上げて籠体マットを敷設することを特徴とする籠体マットの敷設方法。
【発明の詳細な説明】
【技術分野】
【０００１】
本発明は、護岸あるいは水中や水辺の構築物基礎などに用いることができる経済性、施工性、耐久性等に優れた籠体マットに関する。さらに詳細には、クレーン作業による短時間での大規模工事が可能で、海岸、河岸、水中構築物などの補強に極めて有用な籠体マット及びその利用に関する。
【背景技術】
【０００２】
海岸や湖沼岸における波による浸食、河川堤防における水流に基づく侵食などを防止するために、これら部分をコンクリート構造物とする方法はあるが、経済性、施工性に劣るのが難点である。このため大型石を充填した鉄線蛇籠を敷設する方法が一般的に採用されているが、耐久性が悪く、また広範囲で施工するには作業性に優れているとは言えない。とくに波打ち際にあって、満潮時に冠水するような場所において施工したい場合においては、短時間のうちに広い範囲の作業が可能な工法が求められているが、鉄線蛇籠による施工においては無理である。
【発明の開示】
【発明が解決しようとする課題】
【０００３】
そこで本発明の目的は、護岸、水中構造物の基礎補強等に有用な大型石等の充填物を大量に収納することができ、クレーン作業によって吊り上げ可能な強度を有し、作業性、耐久性等に優れた籠体マットを提供することにある。本発明の他の目的は、前記籠体マットの形状を実質的に損なうことなくに大型石等の充填物を作業性よく、安全に充填する方法を提供することにある。本発明のさらに他の目的は、大型石等を充填した前記籠体マットを、所定個所に安全かつ短期間で敷設する方法を提供することにある。
【課題を解決するための手段】
【０００４】
本発明は、対向する面を形成する２枚の幅広長尺網目状シートと、対向する面を形成し、前記幅広長尺網目状シートより短い２枚の幅狭長尺網目状シートとを、各幅広長尺網目状シートの両端部が余るように幅方向の辺を互いに結合して形成される扁平角筒状構造体の内部が、仕切り用網目状シートにより所定間隔で仕切られて、複数の連結する小部屋を形成しているプラスチック製籠体マットであって、各網目状シートは、延伸薄肉部であるピッチ２５ｃｍ以下の長手方向網目と未延伸厚肉部の横方向網目とからなり、上記小部屋は、仕切り用網目状シートの端部網目を湾曲して幅広長尺網目状シートの網目間に入れ込み、生じる筒状空間に支持棒を貫通させて連結することによって、幅広長尺網目状シートの長手方向網目２〜４ピッチ毎に形成されており、２枚の対向する幅広長尺網目状シートの両端部は、一方の端部網目を湾曲して他の端部網目間に入れ込んで生じる筒状空間に支持棒を貫通させて連結されていることを特徴とする籠体マットに関する。
【０００５】
上記籠体マットは、大型石等を充填してクレーンで吊り上げた場合の収納安定性を確保するために、片側吊り用の場合には、仕切り用網目状シートと幅広長尺網目状シートの連結部を全て、幅広長尺網目状シートの吊り上げ端部となる一端部からみて、その横方向網目上流側近傍に設けるようにするか、あるいは両側吊り上げ用の場合には幅広長尺網目状シートの一端部からみて、中央部近辺まではその横方向網目上流側近傍にあり、それ以降はその横方向網目下流側近傍に設けるようにすることが好ましい。
【０００６】
上記籠体マットにおいては、充填物による連結部の膨れや破損を防止するために、幅広長尺網目状シートと幅狭長尺網目状シートの結合を、それぞれの長手方向網目のピッチを揃えて、少なくとも７ｃｍ以下の間隔で巻回部を有し、かつ横方向網目部の接点部で結び目を作るように長尺の太紐で行なうことが好ましく、さらに太紐として、耐候処方を施されたポリエチレン製紐を使用するのが好ましい。
【０００７】
また本発明の籠体マットを構成する網目状シートは、プラスチック性孔開きフイルム、とくにポリオレフィン製孔開きシートの一軸延伸シートであることが好ましく、とくにプロピレンと他のα−オレフィンのランダム共重合体製孔開きシートの一軸延伸シートであることが好ましい。また上記幅広長尺網目状シート及び幅狭長尺網目状シートとして、それぞれ引張強度が５０ｋＮ／ｍ以上であるものを使用するのが好ましい。
【０００８】
前記籠体マットとしては、小部屋の容積が０．１〜０．５ｍ３であり、またその数が４〜４０の範囲であることが好ましく、また全長が２〜２０ｍ程度であることが好ましい。
【０００９】
また幅広長尺網目状シート端部は、２〜４ピッチの長手方向網目で構成されていることが好ましい。
【００１０】
上記籠体マットは、２枚の対向する幅広長尺網目状シートと２枚の対向する幅狭長尺網目状シートの４結合辺のうち、１辺のみを未結合状態とし、一方の幅狭長尺網目状シート面を開口した状態で工事現場に運びあるいは工事現場で組み立て、そこで大型石等の固形充填材を充填した後、未結合部を長尺太紐で結合して本発明の籠体マットを完成させることが好ましい。固形充填材の充填は、籠体マットにおける開口状態の結合幅狭長尺網状シート面が上部となるように籠体マットを直立させて行なうのが好ましく、その際籠体マットの両側に支持壁を設けることが好ましい。
【００１１】
上記のような固形充填材を充填した籠体マットは、好ましくは護岸工事用又は水中構造物基礎用に使用される。籠体マットの敷設は、籠体マットにおける２枚の幅広長尺網目状シートの片側端部結合部に支持棒をいれ、該片側結合部を吊り上げて行なうか、あるいは籠体マットにおける２枚の幅広長尺網目状シートの両側端部結合部に支持棒をいれ、該両側端部結合部を吊り上げて行なうのが好ましい。
【発明の効果】
【００１２】
本発明によれば、大型石等の固形充填材を大量に収納することができ、クレーンのような重機による作業によって大規模かつ短時間で敷設が可能な籠体マットを提供することができる。このような固形充填材を収納した籠体マットは、種々の地盤形状に柔軟に追随することができ、例えば急傾斜地においても容易に敷設し、定着させることができる。また通水性、通気性に優れる一方で、水圧安定性に優れ、また耐腐食性、耐候性等に優れているので、海、湖沼、河川などにおいて、淡水や海水を問わず、水中、水際あるいは水辺における耐久性のある補強構造物や緊急補修用の構造物として利用することができる。勿論、一般の造成地法面補強などにおいても使用することができる。より具体的には、河川や海岸の侵食防止、洗堀防止、砂浜の安定基礎、防波堤や各種堤防の基礎、人口礁の基礎、運河のライニング、下水道のスコアマット、軟弱地盤の補強などに利用することができる。
【発明を実施するための最良の形態】
【００１３】
以下、図面により本発明を詳細に説明する。
【００１４】
図１は、本発明の籠体マットを構成する幅広長尺網目状シート、幅狭長尺網目状シート及び仕切り用網目状シートに好適な網目状シート１であって、延伸薄肉部である長手方向網目２と未延伸厚肉部である横方向網目３とから構成されている。このような網目状シート１は、肉厚の孔開きシートを縦方向に一軸延伸することによって得ることができる。すなわち孔開きシートの孔部の辺を構成する部分が延伸されて中心部が幅狭となった長手方向網目２が形成され、その他の部分は実質的に延伸されず原反シートの肉厚が維持されて横方向網目３が形成される。幅広長尺網目状シート及び幅狭長尺網目状シートにおいては、網目状シート１の長手方向とこれらの長手方向が一致するように使用され、また仕切り用網目状シートにおいては、対向する幅広長尺網目状シート面に向かう方向が網目状シート１の長手方向となるように使用される。
【００１５】
網目状シート材質としては、種々のプラスチック材料を使用することができるが、耐候性、耐水性、耐塩水性、強度などを考慮すると、ポリオレフィン、例えばポリエチレンやポリプロピレンが好ましい。ポリエチレンとしては、とくに密度が９４０ｋｇ／ｍ３以上の高密度ポリエチレンが好ましく、またポリプロピレンとしてプロピレンホモポリマー及びプロピレンと他のα−オレフィンのランダム共重合体が好ましい。とくに高重量の固形充填物を多量に充填し、かつ寒冷地においても使用可能とするためには、プロピレンと、２０モル％以下、好ましくは０．１〜１０モル％の他のα−オレフィンとのランダム共重合体を使用することが好ましい。すなわちこのようなランダム共重合体は、単位重量当りの引張強度が強く、また冬場に外気温が低下する寒冷地においても充分な強度を発揮するからである。上記材料として、ポリエチレンを使用する場合には、１９０℃、２１６０ｇ荷重におけるメルトフローレートが０．１〜４．０ｇ／１０分のものを使用するのが好ましく、またポリプロピレンを使用する場合には、２３０℃、２１６０ｇ荷重におけるメルトフローレートが０．１〜４．０ｇ／１０分のものを使用するのが好ましい。これらポリオレフィンとしては、耐候性向上のために、酸化防止剤、紫外線吸収剤、光安定剤などの１種以上、とりわけカーボンブラックが配合されていることが好ましい。
【００１６】
籠体マットの大きさによっても異なるが、幅広長尺網目状シート及び幅狭長尺網目状シートとしてはまた、長手方向の引張強度が５０ｋＮ／ｍ以上、好ましくは６０ｋＮ／ｍ以上、一層好ましくは７０ｋＮ／ｍ以上のものを使用することが好ましい。また図１における長手方向網目ピッチ（横方向網目間ピッチ）Ｘが長すぎると大型石を充填したときに横方向に膨れ易く、籠体マットの平面性を損なう恐れがあり好ましくないので、Ｘが２５ｃｍ以下、好ましくは１５〜２０ｃｍ程度とするのが好ましい。また長手方向網目の最薄部は、少なくとも幅３ｍｍ以上、好ましくは５〜１０ｍｍ、厚みが少なくとも０．３ｍｍ以上、好ましくは０．５〜１．５ｍｍの範囲にあることが好ましい。また長手方向網目間のピッチＹは、１０〜３０ｍｍ程度であることが好ましい。
【００１７】
図３は、本発明の籠体マット４の一例を示す概略図であり、図４は図３の籠体マットの上面幅広長尺網目状シート部を取り除いた図面である。図３及び図４において、籠体マット４は、上下面を形成する２枚の幅広長尺網目状シート５ａ、５ｂと、両側面を形成する２枚の幅狭長尺網目状シート６ａ、６ｂにより形成される扁平角筒状構造体内部が、仕切り用網目状シート７により多数の小部屋に区画されている。上下の幅広長尺網目状シート５ａ、５ｂは、両側面の幅狭長尺網目状シート６ａ、６ｂより長く、両者は幅広長尺網目状シート５ａ、５ｂの両端８ａ、８ｂが余るようにそれぞれの側辺において結合されており、それぞれの両端８ａ及び８ｂはその端部で互いに結合されて籠体マット４の強度維持が図られ、また吊り上げ時の支持棒挿入部が形成される。
【００１８】
幅広長尺網目状シート５の横幅は、あまり短いと籠体マットの敷設作業の効率が悪いが、一方あまり長くなり過ぎると、大型石等の充填作業、クレーンによる吊り上げ作業等を円滑に行なうことができなくなるので、１〜１．５ｍ程度の範囲が好適である。またその長さは、網状シートの強度および敷設作業に応じて適宜選択されるが、通常２〜２０ｍ程度、好ましくは３〜１５ｍ程度のものが使用される。また幅狭長尺網目状シート５の幅は、籠体マットの敷設厚みとなるもので、通常２０〜５０ｃｍ程度が適当である。
【００１９】
図５は、幅広長尺網目状シート５と仕切り用網目状シート７の結合部を示す側面断面図、図６はその平面図である。仕切り用網目状シート７上端の横方向網目３３近傍の長手方向網目２３を全て湾曲して上部幅広長尺網目状シート５ａの長手方向網目２１間に上部に突出するように挿入し、湾曲した仕切り用網目状シート７の長手方向網目２３と幅広長尺網目状シート５ａの長手方向網目２１の間に生じた筒状空間に支持棒９ａを挿入することによって、仕切り用網目状シート７上部と上部幅広長尺網目状シート５ａの結合が達せられる。挿入した支持棒９ａを固定するために、上部幅広長尺網目状シート５ａの長手方向網目２１と支持棒９ａをベルト締め等で数カ所結合させることが好ましい。同様にして仕切り用網状シート７下端の横方向網目３３近傍の長手方向網目２３を全て湾曲して下部幅広長尺網目状シート５ｂの長手方向網目２１間に下部に突出するように挿入し、湾曲した仕切り用網状シート７の長手方向網目２３と幅広長尺網状シート５ｂの長手方向網目２１の間に生じた筒状空間に支持棒９ｂを挿入することによって、仕切り用網目状シート７下部と下部幅広長尺網目状シート５ｂの結合が達せられる。
【００２０】
図４においては、小部屋を設けるために使用されるこれら仕切り用網目状シート７は、幅広長尺網目状シート５の長手方向網目２１の３ピッチ毎に設けられているが、所望により２又は４ピッチ毎にしてもよい。しかしながらこれよりさらに間隔を空けて設けると、大型石などを充填した場合に幅広長尺網目状シート５面における膨れが大きくなり過ぎるので好ましくない。
【００２１】
図９（Ａ）は、幅広長尺網目状シート５と幅狭長尺網目状シート６の結合部分を示す平面図、図９（Ｂ）は背面図である。幅広長尺網目状シート５と幅狭長尺網目状シート６は、それぞれの長手方向網目２１の長手方向網目２２を揃えるように並べられて、長尺の太紐１０により、長手方向網目２１及び２２の当接部は捲回部１１を形成しながら、また横方向網目３１及び３２の接点部では結び目１２を形成しながら、結合されている。図９（Ａ）及び（Ｂ）においては、幅広長尺網目状シート５と幅狭長尺網目状シート６は同一平面上となる用に結合されているが、籠体マット形成時においては、両者の結合部分で両者が直角となるように曲げられて組み立てられる。結び目１２は、両シートが相互に移動しないほど堅固であれば、図９のものに限定されるものではない。堅固な結び目を形成することにより捲回部１１においても両シートの強固な結合が達せられる。しかしながら捲回部１１間の距離が長くなると、両シート間の結合の弱い部分が長くなり、大型石等を充填して吊り上げた際に、その部分の破れが生じる恐れがあるので、捲回部１１間のピッチ及び捲回部１１と結び目１２間の距離を７ｃｍ以下、好ましくは４〜６ｃｍとするのがよい。
【００２２】
このような太紐としては、天然繊維あるいは合成繊維からなるものを広く使用することができるが、耐候性、耐水性、耐塩水性、強度などを考慮すると、ポリオレフィン、例えばポリエチレンやポリプロピレンで形成されたものが好ましい。ポリエチレンとしては、とくに密度が９４０ｋｇ／ｍ３以上の高密度ポリエチレンが好ましく、またポリプロピレンとしてプロピレンホモポリマー及びプロピレンと他のα−オレフィンのランダム共重合体が好ましい。とくに好適な太紐は、酸化防止剤、紫外線吸収剤、光安定剤などの１種以上、とりわけカーボンブラックが配合された耐候処方を施されたポリエチレン、とくに高密度ポリエチレンの延伸糸からなるものである。例えば高密度ポリエチレンのマルチフィラメントを延伸した撚糸であって、径が４〜８ｍｍ程度のものが好適に使用される。
【００２３】
本発明の籠体マットは、次のようにして形成するのが好ましい。すなわち、下面を形成する幅広長尺網目状シート５ｂの両側面に幅狭長尺網目状シート６ａ、６ｂを、上記したように、太紐１０により幅広長尺網目状シート５ｂの両端面を余らせるように結合する。次いで仕切り用網目状シート７の下端と下面幅広長尺網目状シート５ｂを、上記したような結合方式により、長手方向に下面幅広長尺網目状シート５ｂの長手方向網目２１の２〜４ピッチ毎に結合していく。その後、仕切り用網目状シート７の上端と上面幅広長尺網目状シート５ａを、上記したような結合方式により結合する。この場合における仕切り用網目状シート７と上面及び下面の幅広長尺網目状シート５ａ、５ｂの結合端は、大型石等を充填して吊り上げた際に仕切り用網目状シート７が籠体マット中でずり落ちないようにするために、吊り上げ端からみて幅広長尺網目状シート５ａ、５ｂの横方向網目３１の上流側近傍にするのが好ましい。すなわち片側吊り用として使用する場合には、幅広長尺網目状シート５の吊り上げ端となる一端からみて、上記結合端を全て横方向網目３１の上流側近傍にするのが好ましい。また両側吊り用として使用する場合には、幅広長尺網目状シート５の一端からみて、中央部近辺までは上記結合端の全てを横方向網目３１の上流側近傍にし、それ以降は全て横方向網目３１の下流側近傍となるようにするのが好ましい。幅広長尺網目状シート５の両端部の仕切り用網目状シート７は、籠体マット４の外壁部を形成する。
【００２４】
仕切り用網目状シート７を上下の幅広長尺網目状シート５ａ、５ｂに結合した後は、片側の幅狭長尺網目状シート６ａの上端部と上面幅広長尺網目状シート５ａを上記したような方法により太紐で結合すると共に、上下の幅広長尺網目状シート５ａ、５ｂの余らせた両端部８ａ、８ｂを互いに結合する。幅広長尺網目状シート５ａ、５ｂの両端部８ａ及び８ｂの結合方式を図２に示す。この結合方式は仕切り用網目状シート７と上下の幅広長尺網目状シート５との結合方式と本質的に同じであり、上下いずれか一方の幅広長尺網目状シートの端部網目を湾曲して他方の幅広長尺網目状シートの端部網目間に挿入して行なえばよい。図２においては、上部幅広長尺網目状シート５ａの端部８ａの長手方向網目２４を湾曲させて、その網目を下部幅広長尺網目状シート５ｂの端部網目８ｂ間に挿入させ、両網目間で生じた筒状空間に支持棒１２を貫通させ、結合している。支持棒１２としては扁平状のものが好ましく、また吊り上げ安定性を考慮すると、籠体マットの中心線上に支持棒が来るように結合させるのが好ましい。さらに幅広長尺網目状シート５の端部網目８ａ、８ｂの長さは、吊り上げ作業性を考慮して定めればよく、通常は長手方向網目２〜４ピッチ程度あればよい。
【００２５】
以上のような結合操作により、一方の幅狭長尺網目状シート７の部分のみが開口した多数の連結する小部屋を有する籠体マットを作成することができる。開口部をこの部分に設けることにより、後記するような方法で、作業効率よく大型石のような固形充填材を籠体マットに充填することができる。このような籠体マットの組み立ては、作業現場で行なってもよく、また予め別の場所で組み立てて作業現場に持ち込んでもよい。
【００２６】
このような一方の幅狭長尺網目状シート７の部分のみが開口した籠体マットに、補強材である大型石のような固形充填材を充填するには、上記籠体マットを開口部が上部にくるように直立させ、シャベルカーにより上部より固形充填材を投入していけば、多量の固形充填材を効率よく短時間で充填させることができる。充填作業を、籠体マットの膨らみを生じさせないように安定して行なうためには、図７及び図８に図示するように、直立した籠体マットの幅広長尺網状体面５ａ及び５ｂの両側に支持壁１３ａ及び１３ｂを立てて、籠体マットの直立性を維持して行なうことが好ましい。すなわち図７に示すように、開口面である幅狭長尺網目状シート６ａ面が上面に来るように幅広長尺網目状シート５ａ面を壁体１３ａに当接するように籠体マットを直立させ、次いで図８に示すように別の壁体１３ｂを他方の幅広長尺網目状シート５ｂ面に当接するように載置して籠体マットを壁体１３ａ、１３ｂによりサンドイッチ状態とする。しかる後シャベルカーにより固形充填材を開口部から籠体マットに充填していけば、壁体によって固形充填材による幅広長尺網目状シート５ａ、５ｂ面の膨らみを防止することができ、平面性を有する固形充填材収納籠体マットを得ることができる。またシャベルカーによる固形充填材の充填中、あるいは充填後において、随時、人力により籠体マット内の固形充填材の均し作業を行うことにより、均一かつ迅速な充填を行なうことができる。
【００２７】
籠体マットに充填する固形充填材としては、籠体マットの網目から抜け出さない大きさであって、籠体マットに満遍なく充填できるような体積が３０〜２００ｃｍ３程度の塊状充填物が好ましい。また護岸や補強の効果を長期にわたって持続させるためには、波や水流によって侵食され難いものが好ましく、河岸や海岸で入手できる天然石や砕石などの大型石が、安価に入手することが可能であるので最も好ましい。
【００２８】
籠体マットに大型石等の固形充填物を充填した後、開口面の幅狭長尺網目状シート６ｂと幅広長尺網目状シート５ａをすでに述べたように太紐により連結することにより、護岸用あるいは水中構造物の基礎用などに使用される固形充填物入り籠体マットが得られる。
【００２９】
このようにして得られる固形充填物入り籠体マットは、次いでその１端部又は両端部をクレーンで吊り上げて所定個所に運び、敷設する。この場合、通常のクレーン車を使用することができるが、籠体マットへの固形充填材の充填に使用したシャベルカーを、このクレーン作業に使用することもできる。籠体マットの吊り上げにおいては、籠体マット端部の筒状空間に、端部支持棒１２より若干長尺の吊り上げ用支持棒を挿入し、その両端にワイヤーやロープなどを掛けて吊り上げればよい。図１０は、固形充填材を収納した籠体マット４の一端を吊り上げて海岸に敷設している図面である。籠体マット４は、シャベルカー１５のクレーン１６先端のシャベル１７により、籠体マットの端部に挿入された吊り上げ用支持棒１４に掛けたロープ２０を吊り上ることにより海岸の工事現場に移動され、海岸の波打ち際１９及び法面１８を覆うように敷設される。
【００３０】
図１１は、固形充填材を収納した籠体マット４の両端をクレーン車２４により吊り上げて移動させ、水中構造物の基礎のように平地に敷設している図面である。籠体マット４は、その両端に挿入された吊り上げ用支持棒１４に掛けたロープ２０の中央部を、長尺支持棒２３の両端部に設けられた鉤２１ａ、２１ｂで引掛け、長尺支持棒２３の両端部にをつなぐワイヤー２２の中央部を前記クレーン車２４のクレーン２５の先端から伸びるワイヤーロープ２６により吊り上げられ、所定位置まで移動され、敷設される。
【図面の簡単な説明】
【００３１】
【図１】本発明の籠体マットに使用可能な網目状シートを示す図面である。
【図２】幅広長尺網目状シートの両端部の結合方式を示す図面である。
【図３】本発明の籠体マットの概略図である。
【図４】図３の籠体マットの上面を取り除いた図面である。
【図５】幅広長尺網目状シートと仕切り用網目状シートの結合部を示す断面図である。
【図６】幅広長尺網目状シートと仕切り用網目状シートの結合部を示す平面図である。
【図７】一面を開口した籠体マットを支持壁に沿って直立させた図面である。
【図８】一面を開口した籠体マットを支持壁で挟んで直立させた図面である。
【図９】幅広長尺網目状シートと幅狭長尺網目状シートの結合部を示す図面である。
【図１０】固形充填材を収納した籠体マットの片側を吊り上げ、海岸に敷設する図面である。
【図１１】固形充填材を収納した籠体マットの両側を吊り上げ、平地に敷設する図面である。
【符号の説明】
【００３２】
１      網目状シート
２      長手方向網目
３      横方向網目
４      籠体マット
５      幅広長尺網目状シート
６      幅狭長尺網目状シート
７      仕切り用網目状シート
９      支持棒
１０    太紐
１１    捲回部
１２    結び目
１３    支持壁
【図１】
2005048459.tif 000003
【図２】
2005048459.tif 000004
【図３】
2005048459.tif 000005
【図４】
2005048459.tif 000006
【図５】
2005048459.tif 000007
【図６】
2005048459.tif 000008
【図７】
2005048459.tif 000009
【図８】
2005048459.tif 000010
【図９】
2005048459.tif 000011
【図１０】
2005048459.tif 000012
【図１１】
2005048459.tif 000013